(57)【要約】【課題】本発明は、携帯型プリンタの印刷範囲を拡大することができる印刷補助装置を提供することを目的とする。【解決手段】本発明の印刷補助装置は、携帯型プリンタと組み合わせて使用し、支持部材と、支持部材に設置された給紙機構と、プリンタヘッド駆動機構と、制御器と、を備え、給紙機構は、収容箱及び給紙ローラーを備え、収容箱は、給紙板と、給紙板に平行に設置された送り板と、を備え、プリンタヘッド駆動機構は、携帯型プリンタを設置するための固定部材を備え、固定部材は、送り板上まで延在し、給紙ローラーは、制御器の制御によって、給紙板上の用紙を送り板に送る。【選択図】図１
2013256118.tif 000002
【特許請求の範囲】
【請求項１】
携帯型プリンタと組み合わせて使用する印刷補助装置において、前記印刷補助装置は、支持部材と、前記支持部材に設置された給紙機構と、プリンタヘッド駆動機構と、制御器と、を備え、前記給紙機構は、収容箱及び給紙ローラーを備え、前記収容箱は、給紙板と、前記給紙板に平行に設置された送り板と、を備え、前記プリンタヘッド駆動機構は、前記携帯型プリンタを設置するための固定部材を備え、前記固定部材は、前記送り板上まで延在し、前記給紙ローラーは、前記制御器の制御によって、前記給紙板上の用紙を送り板に送ることを特徴とする印刷補助装置。
【請求項２】
前記収容箱は、さらに導向部を備え、前記給紙ローラーは、前記導向部の一側に設置され、前記導向部は、円孤形導向面を備えることを特徴とする請求項１に記載の印刷補助装置。
【請求項３】
前記導向部と前記送り板との間に出紙口が形成されていることを特徴とする請求項２に記載の印刷補助装置。
【請求項４】
前記支持部材は、後板及び互いに平行に設置された２つの側板を備え、前記給紙ローラーは、２つの前記側板間に回転可能に設置されることを特徴とする請求項１〜３のいずれか１項に記載の印刷補助装置。
【請求項５】
前記プリンタヘッド駆動機構は、さらに、スライド棒を備え、前記スライド棒は、回転可能に前記支持部材の２つの側板間に設置され、前記固定部材は、前記スライド棒に沿って前記スライド棒の長手方向に沿って往復移動することを特徴とする請求項４に記載の印刷補助装置。
【請求項６】
前記プリンタヘッド駆動機構は、さらに、第一回転棒、第二回転棒、駆動帯を備え、前記第一回転棒と前記第二回転棒とは、それぞれ回転可能に前記後板に設置され、前記駆動帯は、前記第一回転棒と前記第二回転棒とを囲むように設置されて、前記第一回転棒と前記第二回転棒とを回転して動かすことを特徴とする請求項４または５に記載の印刷補助装置。
【請求項７】
前記制御器は、前記側板に設置され、前記第一回転棒と前記第二回転棒とにおいて、少なくとも何れか一方の回転棒が、前記制御器と接続されることを特徴とする請求項６に記載の印刷補助装置。
【発明の詳細な説明】
【技術分野】
【０００１】
本発明は、印刷補助装置に関し、特に携帯型プリンタと組み合わせて使用する印刷補助装置に関するものである。
【背景技術】
【０００２】
従来の携帯型プリンタ（例えば、手持ち型プリンタ）は、簡易な印刷に使用される。このような携帯型プリンタは、体積が小さく、且つインク箱を備えている。使用する際は、携帯型プリンタを直接手で持って、用紙の上に設置して印刷を行う。しかし、このような携帯型プリンタは体積が小さいので、印刷範囲もプリントヘッドの面積に限られるため、大きな面積を印刷できない。
【発明の概要】
【発明が解決しようとする課題】
【０００３】
以上の問題点に鑑みて、本発明は、携帯型プリンタの印刷範囲を拡大することができる印刷補助装置を提供することを目的とする。
【課題を解決するための手段】
【０００４】
上記の課題を解決するために、本発明の印刷補助装置は、携帯型プリンタと組み合わせて使用する。印刷補助装置は、支持部材と、支持部材に設置された給紙機構と、プリンタヘッド駆動機構と、制御器と、を備え、給紙機構は、収容箱及び給紙ローラーを備え、収容箱は、給紙板と、給紙板に平行に設置された送り板と、を備え、プリンタヘッド駆動機構は、携帯型プリンタを設置するための固定部材を備え、固定部材は、送り板上まで延在し、給紙ローラーは、制御器の制御によって、給紙板上の用紙を送り板に送る。
【発明の効果】
【０００５】
本発明の印刷補助装置は、構造が簡単で、使用に便利で、携帯型プリンタの印刷範囲を拡大することができる。
【図面の簡単な説明】
【０００６】
【図１】本発明に係る印刷補助装置の斜視図である。
【図２】図１に示した印刷補助装置の組立図である。
【図３】図２に示した印刷補助装置の使用状態を示す図である。
【発明を実施するための形態】
【０００７】
以下、図面に基づいて、本発明に係る印刷補助装置について詳細に説明する。
【０００８】
図１に示すように、本発明に係る印刷補助装置は、携帯型プリンタ１００と組み合わせて、印刷機能を実現するために用いられる。印刷補助装置は、支持部材３０と、支持部材３０に設置される給紙機構１０と、プリンタヘッド駆動機構５０と、制御器９０と、を備える。
【０００９】
支持部材３０は、略Ｕ形状を呈し、且つ後板３１及び互いに平行に設置された２つの側板３３を備える。２つの側板３３は、後板３１における長手方向両端から延在している。
【００１０】
給紙機構１０は、収容箱１１及び給紙ローラー１３を備える。収容箱１１は、給紙板１１２、送り板１１４及び導向部１１５を備える。給紙板１１２と送り板１１４とは、互いに平行に設置され、その間には、紙を収容するための収容空間が形成されている。導向部１１５は、給紙板１１２と送り板１１４との一端に位置し、且つ円孤形導向面１１５１を備える。また、導向部１１５と送り板１１４との間には出紙口１１７が形成されている。給紙ローラー１３は、導向部１１５の一側に設置され、且つ支持部材３０の２つの側板３３間に、回転可能に設置される。
【００１１】
プリンタヘッド駆動機構５０は、スライド棒５９、固定部材５７、第一回転棒５１、第二回転棒５２及び駆動帯５３を備える。スライド棒５９は、支持部材３０の２つの側板３３間に回転可能に設置される。固定部材５７は、携帯型プリンタ１００に設置された後、スライド棒５９に設置される。これにより、固定部材５７は、スライド棒５９に沿って往復移動することができる。第一回転棒５１と第二回転棒５２とは、それぞれ回転可能に後板３１に設置される。駆動帯５３は、第一回転棒５１と第二回転棒５２とを囲むように設置されて、且つ第一回転棒５１と第二回転棒５２とを回転して動かす。第一回転棒５１と第二回転棒５２とにおいて、少なくとも何れか１つの回転棒が制御器９０と接続され、制御器９０は、該何れか１つの回転棒を制御して回転させる。固定部材５７は、さらに駆動帯５３と接続されて、駆動帯５３の回転に連動されて移動する。
【００１２】
図２に示すように、印刷補助装置を組み立てる際、先ず、給紙ローラー１３を、収容箱１１の導向部１１５の一側に設置する。次に、収容箱１１を支持部材３０に固定し、給紙ローラー１３を、２つの側板３３間に回転可能に設置し、第一回転棒５１と第二回転棒５２とを、それぞれ回転可能に後板３１に設置する。次に、駆動帯５３を、第一回転棒５１と第二回転棒５２とを囲むように設置した後、固定部材５７を、スライド棒５９に設置する。続いて、固定部材５７が設置されたスライド棒５９を２つの側板３３間に回転可能に設置すると、固定部材５７は、駆動帯５３と接続する。この時、固定部材５７は、送り板１１４上まで延在している。携帯型プリンタ１００のプリントヘッドが下方に向くように、該携帯型プリンタ１００を固定部材５７に設置する。最後に制御器９０を側板３３に設置し、且つ一方の回転棒と接続させる。
【００１３】
図３に示すように、印刷補助装置を利用して印刷する際、先ず、用紙を前記収容空間に入れる。この時、制御器９０は、入力されたデータによって、給紙ローラー１３の回転を制御して、給紙ローラー１３が用紙を導向部１１５内に送るように制御する。用紙は、導向部１１５の円孤形導向面１１５１に沿って巻かれて、出紙口１１７から出る。制御器９０は、印刷データによって、第一回転棒５１と第二回転棒５２とにおける、少なくとも何れか一方の回転棒を制御して回転させて、駆動帯５３を時計回りの方向に回転させる。これにより、固定部材５７がスライド棒５９に沿って動く。この時、同時に、携帯型プリンタ１００も制御されて印刷を行う。印刷が終わった用紙は、送り板１１４上に送られる。
【００１４】
本発明の印刷補助装置は、構造が簡単で、使用に便利であり、携帯型プリンタ１００の印刷範囲を拡大することができる。
【００１５】
以上、本発明の好適な実施形態について詳細に説明したが、本発明はこれらの実施形態に限定されるものではなく、本発明の範囲内で種々の変形又は修正が可能であり、そのような変形又は修正も又、本発明の特許請求の範囲内に含まれるものであることは、言うまでもない。
【符号の説明】
【００１６】
１０  給紙機構
１１  収容箱
１１２  給紙板
１１４  送り板
１１５  導向部
１１５１  円孤形導向面
１１７  出紙口
１３  給紙ローラー
３０  支持部材
３１  後板
３３  側板
５０  プリンタヘッド駆動機構
５１  第一回転棒
５２  第二回転棒
５３  駆動帯
５７  固定部材
５９  スライド棒
９０  制御器
１００  携帯型プリンタ
【図１】
2013256118.tif 000003
【図２】
2013256118.tif 000004
【図３】
2013256118.tif 000005